(57)【要約】【課題】運搬物の積み込み積みおろしを容易とし、吊り上げ時に運搬物の荷崩れによる落下を生じることなく安全に吊り上げることができ、吊り上げ後の回収作業を容易とした大開口フレキシブルコンテナを提供することを課題とする。【解決手段】底部３、およびこの底部３の周縁から放射方向に連設された複数の側面片４，４…からなるコンテナ本体２と、前記側面片４，４…を立ち上げた状態で該側面片を綴じ合わせる綴じ具５と、相対向する側面片４，４に設けられた少なくとも一対の吊り具７，７とを具有することを特徴とする。【選択図】　図１
2004075137.tif 000002
【特許請求の範囲】
【請求項１】
底部、およびこの底部の周縁から放射方向に連設された複数の側面片からなるコンテナ本体と、前記側面片を立ち上げた状態で該側面片を綴じ合わせる綴じ具と、相対向する側面片に設けられた少なくとも一対の吊り具とを具有することを特徴とする大開口フレキシブルコンテナ。
【請求項２】
前記綴じ具が、前記各側面片の先端部または先端部と中間部に挿通されてループ状とされた閉塞用ロープで構成され、この閉塞用ロープを引き締めることにより側面片を綴じ合わせるようになされている請求項１記載の大開口フレキシブルコンテナ。
【請求項３】
前記綴じ具が、前記各側面片の側縁に取り付けられたファスナで構成され、相隣れる側面片のファスナを係合させることにより側面片を綴じ合わせるようになされている請求項１記載の大開口フレキシブルコンテナ。
【請求項４】
前記コンテナ本体が布で構成されている請求項１〜３のいずれか１項記載の大開口フレキシブルコンテナ。
【発明の詳細な説明】
【０００１】
【発明の属する技術分野】
本発明は大開口フレキシブルコンテナに係り、特に高所への各種機材を運搬するのに用いて最適な大開口フレキシブルコンテナに関する。
【０００２】
【従来の技術】
例えば製鉄所における高炉のシャフトに耐火物を吹き付ける施工に代表されるように、施工現場が高所であると、吹き付け施工を行なうための機材、例えば材料供給用ホース等の運搬物を高所へ運搬する必要がある。
【０００３】
従来では上記のような機材を高所へ運搬する手段として図５に高炉シャフトａの場合を例示するように、運搬物が材料供給用ホースｂであると、このホースｂをパレットに載せ得る大きさに丸めたのち番線ｃで結束してパレティーナｄ等の容器に入れ、このパレティーナｄをクレーンｅのフックｆに掛止して作業箇所（ステージｇ上）まで吊り上げるようになされている。
【０００４】
そして施工箇所へ吊り上げたのちパレティーナｄからホースｂをおろし、吊り上げに用いたパレティーナｄは吊りおろして戻し、ハンドリフト等の作業機を用いてその場所から撤去させるようになされている。
【０００５】
一方、運搬物の吊り上げ用としてフレキシブルコンテナを用いるようにしたものが提案されている（特開平１１−１１５９８７号公報）。この公報に記載のものは、上面が開放された箱形袋状のもので、その両側部に上端がループ状とされた吊りバンドが対をなして設けられ、そのコンテナ内に運搬物（ハンドリング材料）を納めて前記吊りバンドで吊持して所定の高所へ吊り上げるようになされたものである。
【０００６】
【発明が解決しようとする課題】
しかして図５に示したように運搬物が材料供給用ホースｂである場合、このホースｂは通常実内径５０．８ｍｍ（呼称５０Ａ）×長さ２０ｍ〜１０ｍ、重量４８ｋｇ〜２４ｋｇ、または実内径６３．５ｍｍ（呼称６５Ａ）×長さ２０ｍ〜１０ｍ、重量９０ｋｇ〜４５ｋｇのように嵩が大きくかつ重量が大きいものであり、特に高炉シャフトａの吹き付け用ホースは大口径のものであるため、これを丸めて積載するパレティーナｄも大型のものが必要となる。
【０００７】
そのため作業スペースがそれだけ狭くなってしまうばかりでなくパレティーナｄの重量が大きくなり、その結果パレティーナｄに材料供給用ホースｂを積み込む箇所までパレティーナｄを作業機により運搬し、積み込み後吊持位置まで同様に作業機で運搬しなければならず、余分な手数を要し、作業が煩雑になるという問題があった。
【０００８】
一方、前記公報に記載のコンテナを用い、これに材料供給用ホースｂを入れて吊り上げることを想定すると、このコンテナはその開口部が定まっているため材料供給用ホースｂの積み込みや取り出しがやりにくいほか、上面が開放されているので運搬物を高所へ吊り上げる際に必ずしも安全とは云い難いなどの問題がある。
【０００９】
本発明は、運搬物が大口径の材料供給用ホースのような嵩張りかつ大重量のものであっても安全に吊り上げることができながら、その運搬物の積み込み積みおろしを容易とし、かつ積みおろしたのちの取り扱いが軽便な大開口フレキシブルコンテナを提供することを課題としてなされたものである。
【００１０】
【課題を解決するための手段】
上記課題を解決する手段として本発明は、底部、およびこの底部の周縁から放射方向に連設された複数の側面片からなるコンテナ本体と、前記側面片を立ち上げた状態で該側面片を綴じ合わせる綴じ具と、相対向する側面片に設けられた少なくとも一対の吊り具とを具有することを特徴とする。
【００１１】
こうしたことにより、材料供給用ホース等の運搬物を装入するときは、コンテナ本体の各側面片を花弁状に展開した状態乃至はそれに近い状態に大きく開口させてその底部上に運搬物を置き、次いで綴じ具により各側面片を綴じ合わせれば運搬物が内包された状態になり、吊り具にクレーンのフックを掛けて吊り上げれば、運搬物はコンテナ本体の底部および各側面片により抱持された形態で吊り上げられるので運搬物が途中で転倒したり脱落するようなことがなく、極めて安全に吊り上げることができる。
【００１２】
所定の箇所へ吊り上げたのちは、綴じ具を解くことにより各側面片の拘束が解放されるので大きく開口させることができ、運搬物の取り出しが容易にできる。また取り出し後はコンテナ本体を小さく折り畳んで小容積化することができるとともに軽量であることと相俟って回収作業が容易であり、作業能率の向上を図ることができる。
【００１３】
前記綴じ具としては、前記各側面片の先端部または先端部と中間部に挿通されてループ状とされた閉塞用ロープによる構成、または前記各側面片の側縁に取り付けられ相隣れる側面片を綴じ合わせるファスナによる構成とすることができる。
【００１４】
さらに前記コンテナ本体は、軽量で丈夫な布製とすることが好ましい。
【００１５】
【発明の実施の形態】
以下、本発明を図面に示す実施の形態を参照して説明する。
【００１６】
図１、図２は本発明による大開口フレキシブルコンテナ１の一実施形態を示し、図１は展開状態の平面図を、図２は運搬物を内包して閉じた状態の斜視図を示している。
【００１７】
上記大開口フレキシブルコンテナ１は、布製のコンテナ本体２を有し、このコンテナ本体２は、所要面積を有する底部３と、この底部３の周縁から放射方向に連設された複数（図では４片）の側面片４，４，４，４とで構成されている。
【００１８】
前記各側面片４，４…の先端部および中間部には綴じ具としての閉塞用ロープ５，５が挿通されてループ状となっており、その端末５ａ，５ａを引いて止具６，６により弛み止めすることにより各側面片４，４…を立ち上げた状態で図２のように開口部を閉じることができるように構成されている。
【００１９】
前記側面片４，４…のうち相対向する２片には、ループ状の吊り具７，７が設けられ、この吊り具７，７にクレーンのフックを掛合して吊り上げることができるようになっている。
【００２０】
したがって吹き付け施工に要する材料供給用ホース等の運搬物を装入するときは、図１に示すようにコンテナ本体２の各側面片４，４…を平坦状に展開乃至はそれに近い状態に開口させてその底部３上に運搬物を置き、次いで閉塞用ロープ５，５の端末５ａ，５ａを引き絞れば、各側面片４，４…は立ち上がった状態となって綴じ合わされ、運搬物はコンテナ本体２内に完全に内包された状態に抱持される。
【００２１】
こうして吊り具７，７にクレーンのフックを掛止して吊り上げれば、運搬物はコンテナ本体２の底部３および各側面片４，４…により抱持された状態を保って吊り上げられ、運搬物が途中で倒れたり脱落するようなことなく所定の高所施工場所へ安全に吊り上げることができる。
【００２２】
所定の場所へ吊り上げたのちは、その場所にあるステージ上へ吊り下ろして閉塞用ロープ５，５の止具６，６を緩めれば、各側面片４，４…の拘束が解かれるので各側面片４，４…を花弁状に大きく広げて開口させることができ、運搬物を容易に取り出すことができる。
【００２３】
また運搬物を取り出したのちは、コンテナ本体２を小さく折り畳むか丸めて小容積化させ、人手によっても容易に回収することができる。
【００２４】
図３、図４は本発明による大開口フレキシブルコンテナ１の他の実施形態を示し、図３は展開状態の平面図を、図４は運搬物を内包して閉じた状態の斜視図を示している。
【００２５】
この実施形態においても、コンテナ本体２は前述の実施形態と同様に、所要面積を有する底部３と、この底部３の周縁から放射方向に連設される複数の側面片４，４，４，４とで構成されている。
【００２６】
この実施形態では、前記各側面片４，４…の側縁に綴じ具としてのファスナ８，８が取り付けられ、相隣り合う側面片４，４…のファスナ８，８をスライダ９により綴じ合わせることができるようになっている。このファスナ８としては、スライドファスナに限らず、容易には離脱しないホック式、フック式、平面ファスナ等であってもよい。
【００２７】
他の構成は、図１、図２に示した実施形態と同様であるから、これと対応する部材には同一符号を付すに留め、詳細な説明は省略する。
【００２８】
上記実施形態においても、使用の仕方は前述の実施形態と同様である。すなわち運搬物を装入するときはファスナ８を開けて各側面片４，４…を図３のように展開させ、その底部３上に運搬物を置いたのち各側面片４，４…を立ち上げ、相隣り合う側面片４，４のファスナ８，８を係合させて閉じれば、図４のように運搬物は各側面片４，４…で被包され、クレーンのフックを吊り具７，７に掛止して吊り上げることができる。
【００２９】
このとき各側面片４，４…はファスナ８によって閉じられているので、吊り上げ途中で運搬物が倒れたり脱落することなく安全に所定の高所位置へ吊り上げることができる。
【００３０】
所定の箇所へ吊り上げたのちは、その箇所にあるステージ上へおろして各ファスナ８による係止を解けば、各側面片４，４…は花弁状に開いて運搬物を容易に取り出すことができる。運搬物を取り出したのちは、コンテナ本体２を小さく折り畳むか丸めて回収することができる。
【００３１】
なお上記各実施形態におけるコンテナ本体２の側面片４，４…を４片とした場合について示したが、その数の増減は使用目的に応じて任意に選択することができる。またその素材として布を用いることが好ましいが、コンテナの使用目的に応じ他のシート材、メッシュ材等を用いることができる。
【００３２】
【発明の効果】
以上説明したように本発明によれば、底部と、この底部の周縁から放射方向に連設された複数の側面片とからなるコンテナ本体を設け、このコンテナ本体の側面片を立ち上げた状態に各側面片を綴じ合わせる綴じ具を付設した構成であるから、開口部を底部より大きく開口させることができ、これにより運搬物の装入時に装入しやすく、装入後は運搬物は各側面片の綴じ合わせにより完全に内包されるので、吊り上げ持に運搬物が荷崩れして落下するような危険が全くなく、安全に吊り上げることができる。
【００３３】
所定の場所で運搬物を取り出すときは、綴じ具を解くことにより底部上が大きく開口するので運搬物の取り出しが容易にでき、さらに運搬物を取り出したのちのコンテナ本体は小さく折り畳むか丸めることによって小容積とすることができるので、従来のパレティーナのように作業機を用いて運搬する必要が全くなく、これにより回収時の作業性が改善され、作業能率を著しく向上させることができる。
【００３４】
コンテナ本体を布製とすれば、よりコンパクトに折り畳むことができるとともに軽量化を図ることができ、一層取り扱いやすいフレキシブルコンテナとすることができる。
【図面の簡単な説明】
【図１】本発明による大開口フレキシブルコンテナの一実施形態を示す展開時の平面図。
【図２】同、運搬物装入後の状態を示す斜視図。
【図３】同、他の実施形態を示す図１相当図。
【図４】同、図２相当図。
【図５】従来の技術を示す説明図。
【符号の説明】
１　本発明による大開口フレキシブルコンテナ
２　コンテナ本体
３　底部
４　側面片
５　閉塞用ロープ（綴じ具）
６　止具
７　吊り具
８　ファスナ（綴じ具）
９　スライダ
【図１】
2004075137.tif 000003
【図２】
2004075137.tif 000004
【図３】
2004075137.tif 000005
【図４】
2004075137.tif 000006
【図５】
2004075137.tif 000007